(57)【特許請求の範囲】
【請求項１】
建物の外壁に設けた開口部に開閉自在に設置された開閉部材の屋外側に設置され人体を検知する第１のセンサ部と、前記開閉部材の屋内側に設置され人体を検知する第２のセンサ部と、警報を発生する警報発生部とを備え、前記警報発生部は、前記第２のセンサ部が人体を検知してから所定の期間、警報を発生させない警報抑制期間を設け、前記警報抑制期間以外で、前記第１のセンサ部が人体を検知すると、該検知に基づいて警報を発生させることを特徴とする侵入警戒装置。
【請求項２】
前記第１のセンサ部を、前記開閉部材の屋外側に取り付けられた検知ユニット内に収納し、前記警報発生部と前記第２のセンサ部とを、前記開閉部材の屋内側に取り付けられた報知ユニット内に収納し、前記検知ユニットと前記報知ユニットとを、前記開閉部材と前記開口部との隙間に配置される連結部とで連結したことを特徴とする請求項１記載の侵入警戒装置。
【請求項３】
前記警報発生部は、前記第１のセンサ部のセンサ出力が発生するタイミング毎に連動して警報音を発生させることを特徴とする請求項１又は２記載の侵入警戒装置。
【請求項４】
前記警報音は、動物の鳴き声をした音声であることを特徴とする請求項３記載の侵入警戒装置。
【請求項５】
前記動物の鳴き声は、犬の鳴き声であることを特徴とする請求項４記載の侵入警戒装置。
【請求項６】
前記開閉部材は、扉枠内に開閉自在に取り付けられた玄関扉であることを特徴とする請求項２記載の侵入警戒装置。
【請求項７】
前記開閉部材は、窓枠内に開閉自在に取り付けられた窓板であることを特徴とする請求項２記載の侵入警戒装置。
【発明の詳細な説明】
【０００１】
【発明の属する技術分野】
本発明は、侵入警戒装置に関するものである。
【０００２】
【従来の技術】
従来この種の侵入警戒装置として、図８に示すように、人体から放射される熱線を検知することにより人の存否を検知する検知ユニット１と、スピーカＳＰと、警戒状態と非警戒状態とを切り替える切替スイッチＳＷ３と、切替スイッチＳＷ３により警戒状態に設定されている場合に検知ユニット１が検知領域内で人を検知するとスピーカＳＰから警報音を発生させる制御部（図示せず）とを収納した侵入警戒装置本体Ａを、住宅の軒天井部に設置して侵入者を検知するものが提供されている。
【０００３】
【発明が解決しようとする課題】
しかしながら、従来の侵入警戒装置では、家人が外出する際にも検知ユニット１が検知して、警報音を発生させてしまうという問題があった。その問題を解決するために、屋内にスイッチを設けて、スイッチの操作後一定期間は、検知ユニット１が検知しないようにすることも可能であるが、外出の際に必ず操作が必要となり使用者にとって煩わしい。
【０００４】
また、侵入警戒装置本体Ａが住宅の屋外に設置されているため、侵入者によって警戒装置本体Ａが破壊される虞があり、警戒装置本体Ａが破壊されると、警報を発することができなくなるという問題もあった。
【０００５】
本発明は上記問題点に鑑みて為されたものであって、その目的とするところは、特別な操作をすることなく、外出時の不要な報知動作を防止でき、且つ万が一屋外に設置された部分が破壊されたとしても警報を発することができる侵入警戒装置を提供することにある。
【０００６】
【課題を解決するための手段】
上記目的を達成するために、請求項１の発明は、建物の外壁に設けた開口部に開閉自在に設置された開閉部材の屋外側に設置され人体を検知する第１のセンサ部と、前記開閉部材の屋内側に設置され人体を検知する第２のセンサ部と、警報を発生する警報発生部とを備え、前記警報発生部は、前記第２のセンサ部が人体を検知してから所定の期間、警報を発生させない警報抑制期間を設け、前記警報抑制期間以外で、前記第１のセンサ部が人体を検知すると、該検知に基づいて警報を発生させるものとした。
【０００７】
請求項２の発明は、請求項１記載の発明において、前記第１のセンサ部を、前記開閉部材の屋外側に取り付けられた検知ユニット内に収納し、前記警報発生部と前記第２のセンサ部とを、前記開閉部材の屋内側に取り付けられた報知ユニット内に収納し、前記検知ユニットと前記報知ユニットとを、前記開閉部材と前記開口部との隙間に配置される連結部とで連結したものとした。
【０００８】
請求項３の発明は、請求項１又は２記載の発明において、前記警報発生部は、前記第１のセンサ部のセンサ出力が発生するタイミング毎に連動して警報音を発生させるものとした。
【０００９】
請求項４の発明は、請求項３記載の発明において、前記警報音は、動物の鳴き声をした音声とした。
【００１０】
請求項５の発明は、請求項４記載の発明において、前記動物の鳴き声は、犬の鳴き声とした。
【００１１】
請求項６の発明は、請求項２記載の発明において、前記開閉部材は、扉枠内に開閉自在に取り付けられた玄関扉とした。
【００１２】
請求項７の発明は、請求項２記載の発明において、前記開閉部材は、窓枠内に開閉自在に取り付けられた窓板とした。
【００１３】
【発明の実施の形態】
以下、本発明を一実施形態によって説明する。
【００１４】
図１は、本実施形態の侵入警戒装置を玄関扉Ｄに取り付けた状態を示す図である。この侵入警戒装置は、玄関扉Ｄの屋外側Ｘに取り付けられ、玄関扉Ｄに屋外側Ｘから近づく人Ｈを検知する検知ユニット１と、玄関扉Ｄの屋内側Ｙに取り付けられ、警報発生動作を行う報知ユニット２と、検知ユニット１と報知ユニット２との間を連結する、例えば金属部材等から形成された連結部３とからなる。
【００１５】
図２のブロック図に示すように、検知ユニット１は、人体から放射される熱線を検知することにより人の存否を検知する、例えば焦電素子からなる第１のセンサ部１ａを内部に収納している。報知ユニット２は、スピーカＳＰが発する音を、例えば"切"・"小"・"大"のうちいずれかに切り替える切替スイッチＳＷ１と、スピーカＳＰが発する音を、例えば"ピンポン音"・"犬の鳴き声"・"アラーム音"のうちいずれかに切り替える切替スイッチＳＷ２とを報知ユニット２の略表面に有し、内部には警報音を発生させる警報発生部２０と、人の存否を検知する、例えば焦電素子からなり、玄関扉Ｄに屋内側Ｙから近づく人を検知する第２のセンサ部２ａとを収納している。警報発生部２０は、さらに、マイコン２０ａ、音響回路２０ｂ、スピーカＳＰとからなる。
【００１６】
連結部３は、中央片３ａと、中央片３ａから略垂直に折曲した側片３ｃとでＬ字状に形成されており、中央片３ａを玄関扉Ｄの上端部に載置し、側片３ｃを玄関扉Ｄの屋内側Ｙに当接するようにして玄関扉Ｄに取り付けられる。そして中央片３ａの先端部に、長辺方向に並行した長孔３ｄを介して、検知ユニット１をボルト４で取り付け、側片３ｃの先端部には送信ユニット２を取り付けることで、検知ユニット１を屋外側Ｘに、送信ユニット２を屋内側Ｙに配している。
【００１７】
次に、図３〜図５を用いて、この侵入警戒装置の動作を説明する。図３は、第１のセンサ部１ａの検知エリア１ａ'と第２のセンサ部２ａの検知エリア２ａ'を示す図で、図４は、侵入警戒装置が取り付けられた玄関付近の部屋Ｒを上から見た上視図で、図５は、侵入警戒装置の動作を示すフローチャートである。
【００１８】
切替スイッチＳＷ１によりスピーカ音量が大又は小に切り替えられている待機状態の時に（ステップＳ０）、第２のセンサ部２ａが人体を検知すると（ステップＳ１）、マイコン２０ａは、警報抑制期間Ｔを設定する（ステップＳ２）。警報抑制期間Ｔは、家人が玄関を通って外出するのに要すると思われる時間であればよく、例えば１０秒と設定する。マイコン２０ａは、警報抑制期間Ｔ設定後、経過時間を計測し、警報抑制期間Ｔ内は（ステップＳ３）、警報の発生を抑制する（ステップＳ４）。
【００１９】
ステップＳ１において、第２のセンサ部２ａが人体を検知せず、警報抑制期間Ｔが経過している時に（ステップＳ３）、第１のセンサ部１ａが人体を検知すると（ステップＳ５）、マイコン２０ａは、その検知信号に基づき、センサ出力間隔ｔが所定の規定時間以内で続く間は、１つのセンサ検知期間とみなして、センサ検知期間を計測する（ステップS６）。センサ検知期間が５秒未満の時は（ステップＳ７）、ステップ５に戻り、センサの検知期間の測定を継続する。
【００２０】
センサ検知期間が５秒以上になれば（ステップ７）、マイコン２０ａは、明らかに外部からの侵入者がいると判断して、切替スイッチＳＷ２によって選択された、"ピンポン音"・"犬の鳴き声"・"アラーム"のうち何れかの音色の警報音を、音響回路２０ｂを介してスピーカＳＰより出力する（ステップＳ８）。
【００２１】
センサ検知期間が５秒未満の時に、第１のセンサ部１ａの検知信号がなくなると、待機状態へ戻る（ステップＳ９）。
【００２２】
ステップＳ７を設けることで、明らかに玄関先に人が滞在している場合にのみ、警報が発生される。
【００２３】
よって、家人が外出する時は、第２のセンサ部２ａが、まず家人を検知するので、警報抑制期間Ｔが設定され、警報抑制期間Ｔ内であれば、第１のセンサ部１ａが家人を検知しても、報知ユニット２は報知動作を行わないので、不要な報知動作を防止できる。
【００２４】
また、家人が家の中にいる時や外出中のように、第２のセンサ部２ａが家人を検知してから警報抑制期間Ｔ経過後に、玄関先に人Ｈが来て５秒以上滞在すれば、例えば切替スイッチＳＷ２で"ピンポン音"を選択しておけば、報知ユニット２からピンポン音が発生され、もしくは切替スイッチＳＷ２で"犬の鳴き声"を選択しておけば、犬の鳴き声が報知ユニット２から発生され、室内に犬がいると思わせ、空き巣等の侵入を未然に防止することができる。
【００２５】
ここで、"犬の鳴き声"の警報音が発生するタイミングについて、図６を用いて説明する。検知ユニット１内のセンサ部１ａのセンサ出力１００は、検知した人体の周囲との温度差や通過速度などの条件でランダムな間隔で出力される。センサ出力１００を受けた報知ユニット２内のマイコン２０ａは、センサ出力１００が発生するタイミング毎に連動して"犬の鳴き声"の警報音２００が発せられるように音響回路２０ｂを制御する。その結果、"犬の鳴き声"の警報音２００も、センサ出力１００に同期してランダムな間隔で出力されることとなり、実際の犬の鳴き声に近くなり、侵入者Ｈに見破られにくくなる。
【００２６】
切替スイッチＳＷ２が、"ピンポン音"か"アラーム音"を選択している時は、"犬の鳴き声"の時と違って、ランダムな間隔で出力する必要がないので、センサ出力１００をトリガとして、一定期間固定フレーズの警報音を出力すれば良い。
【００２７】
尚、本実施形態では、侵入警戒装置を玄関扉Ｄに取り付けた場合を例にして説明を行ったが、侵入警戒装置の設置部位を玄関扉Ｄに限定する趣旨のものではなく、建物の外壁に設けた開口部に開閉自在に設置された開閉部材であれば玄関扉Ｄ以外の部材でも良く、例えば図７（ａ），（ｂ）に示したように、開口部としての窓板Ｇに侵入警戒装置を取り付けて、窓からの侵入者を警戒するようにしても良い。則ち、侵入警戒装置は、検知ユニット１を屋外側、報知ユニット２を屋内側とし、検知ユニット１と報知ユニット２の間に窓板Ｇを挟むと共に、窓板Ｇのスライド方向の端部と窓枠Ｍとの間の隙間に連結部３の中央片３ａを挟んだ状態で窓板Ｇに取り付けられる。
【００２８】
本侵入警戒装置は、検知ユニット１と報知ユニット２とが連結部３とで連結された構成となっているため、玄関扉Ｄや窓板Ｇ等の開閉部材への取り付けが、容易となっている。
【００２９】
また、警報音の音量は、３段階に限定されるものではなく、例えば"切"・"入"の２段階でもよい。
【００３０】
また、警報音の種類は、３種類に限定されるものではなく、例えば"ピンポン音"と、"犬の鳴き声"だけでもよい。
【００３１】
また、図５のステップ７において、第１のセンサ部１ａが人を検知したとみなす検知期間（本実施形態では５秒）は、本実施形態の設定時間に限定するものではなく、明らかに人が玄関にいると判断できる時間であればよい。
【００３２】
【発明の効果】
請求項１の発明は、建物の外壁に設けた開口部に開閉自在に設置された開閉部材の屋外側に設置され人体を検知する第１のセンサ部と、前記開閉部材の屋内側に設置され人体を検知する第２のセンサ部と、警報を発生する警報発生部とを備え、前記警報発生部は、前記第２のセンサ部が人体を検知してから所定の期間、警報を発生させない警報抑制期間を設け、前記警報抑制期間以外で、前記第１のセンサ部が人体を検知すると、該検知に基づいて警報を発生させるので、屋外からの侵入者に対しては警報が発せられるが、家人が外出する時は第２のセンサ部が家人を検知してから、所定の警報抑制期間内に第１のセンサ部が家人を検知するので、警報が発せられず、特別な操作をすることなく、外出時の不要な報知動作を防止できるという効果がある。
【００３３】
請求項２の発明は、請求項１記載の発明において、前記第１のセンサ部を、前記開閉部材の屋外側に取り付けられた検知ユニット内に収納し、前記警報発生部と前記第２のセンサ部とを、前記開閉部材の屋内側に取り付けられた報知ユニット内に収納し、前記検知ユニットと前記報知ユニットとを、前記開閉部材と前記開口部との隙間に配置される連結部とで連結したので、請求項１の効果に加えて、万が一屋外に設置された検知ユニットが破壊されたとしても、警報発生部は家の中で無事なので、警報を発することができるという効果がある。
【００３４】
請求項３の発明は、請求項１又は２記載の発明において、前記警報発生部は、前記第１のセンサ部のセンサ出力が発生するタイミング毎に連動して警報音を発生させるので、例えば動物の鳴き声の警報音を出力した時に、センサ出力がランダムであれば、ランダムな間隔で動物の鳴き声が出力されることとなり、実際の動物の鳴き声に近くなり、侵入者に見破られにくいという効果がある。
【００３５】
請求項４の発明は、請求項３記載の発明において、前記警報音は、動物の鳴き声をした音声であるので、動物の鳴き声で侵入者を威嚇できるできるという効果がある。
【００３６】
請求項５の発明は、請求項４記載の発明において、前記動物の鳴き声は、犬の鳴き声であるので、侵入者に番犬がいると錯覚させることができるという効果がある。
【００３７】
請求項６の発明は、請求項２記載の発明において、前記開閉部材は扉枠内に開閉自在に取り付けられた玄関扉であるので、玄関からの侵入者を検知できるという効果がある。
【００３８】
請求項７の発明は、請求項２記載の発明において、前記開閉部材は、窓枠内に開閉自在に取り付けられた窓板であるので、窓からの侵入者を検知できるという効果がある。
【図面の簡単な説明】
【図１】本実施形態の侵入警戒装置を玄関扉に取り付けた状態を示す斜視図である。
【図２】同上の構成を示すブロック図である。
【図３】（ａ）同上のセンサ部の検知エリアを示す正面図である。
（ｂ）同上のセンサ部の検知エリアを示す側面図である。
（ｃ）同上のセンサ部の検知エリアを示す上視図である。
【図４】同上が設置された玄関周辺を上から見た上視図である。
【図５】同上の動作フローを説明するフローチャートである。
【図６】同上の警報音発生のタイミングを説明する説明図である。
【図７】（ａ）同上を窓板に取り付けた状態を示す正面図である。
（ｂ）同上を窓板に取り付けた状態を示す斜視図である。
【図８】従来例の外観を示す図である。
【符号の説明】
１  検知ユニット
２  報知ユニット
３  連結部
Ｄ  玄関扉
Ｘ  玄関扉の屋外側
Ｙ  玄関扉の屋内側
【図１】
0003855806.tif 000002
【図２】
0003855806.tif 000003
【図３】
0003855806.tif 000004
【図４】
0003855806.tif 000005
【図５】
0003855806.tif 000006
【図６】
0003855806.tif 000007
【図７】
0003855806.tif 000008
【図８】
0003855806.tif 000009